(57)【要約】【課題】バッテリポストに対する電気的接続の信頼性と保持力とを高める。【解決手段】接続部１０の上端部１０Ａおよび下端部１０Ｂは、中間部１０Ｃに比べて剛性の低い低剛性部とされている。この低剛性部は、接続部１０における上端縁および下端縁からそれぞれ中間部１０Ｃに向かってスリット１８Ａ,１８Ｂを切り込むことにより形成されており、スリット１８Ａ,１８Ｂが切り込まれていない中間部１０Ｃに比べて低剛性となっている。これにより、接続部１０を縮径させたときに、バッテリポストＰの形状に倣って上端部１０Ａの一部分と下端部１０Ｂとが変形してバッテリポストＰに接触し、その分接続部１０とバッテリポストＰとの接触面積が増えるから、バッテリポストＰに対する電気的接続の信頼性と保持力とが高められる。【選択図】図５
2007141727.tif 000002
【特許請求の範囲】
【請求項１】
バッテリポストを取り囲むように環状に形成された接続部を備え、この接続部が縮径されることで前記バッテリポストを締め付けるようにしたバッテリターミナルであって、
前記接続部には、この接続部における他の部分に比べて剛性の低い低剛性部が形成されていることを特徴とするバッテリターミナル。
【請求項２】
前記低剛性部は前記接続部の軸方向における上端部および下端部に形成されていることを特徴とする請求項１に記載のバッテリターミナル。
【請求項３】
前記低剛性部はスリットを切り込むことによって形成されていることを特徴とする請求項１または請求項２に記載のバッテリターミナル。
【発明の詳細な説明】
【技術分野】
【０００１】
本発明は、バッテリターミナルに関する。
【背景技術】
【０００２】
従来、バッテリターミナルの一例として、特許文献１に記載のものが知られている。このバッテリターミナルは、バッテリポストを取り囲むように環状に形成された接続部と、この接続部に連設された一対の締付片とを備えている。そして、接続部をバッテリポストに外嵌させた状態で、一方の締付片を他方の締付片側に押圧変位させると、締付片に連なる接続部が縮径し、バッテリポストが接続部に締め付けられて固定されるようになっている。
【特許文献１】特開平８−５０８９２号公報
【発明の開示】
【発明が解決しようとする課題】
【０００３】
ところで、バッテリポストは、上端側に向けて次第に径の小さくなったテーパ状の円柱形に形成され、それに対応してバッテリターミナルの接続部も同じテーパ形状の円筒形に形成されるのであるが、バッテリポストについては成形誤差等により、そのテーパ形状にばらつきが出ることがある。そのような場合は、接続部をバッテリポストに取り付けた際、接続部における上下両端縁のうちいずれか一方の端縁付近のみにおいてバッテリポストを締め付けた状態となり、電気的な接続が不安定になってしまうおそれがある。また、保持力についても、はじめに接続部を締め付けたときには、端縁付近がバッテリポストに食い込んで相応の保持力が得られるが、メンテナンス等でバッテリターミナルを外して再び接続する際には食い込みが期待できないため、密着面積が少ない分保持力が不足することが懸念される。
【０００４】
本発明は上記のような事情に基づいて完成されたものであって、その目的は、バッテリポストに対する電気的接続の信頼性と保持力とを高めるところにある。
【課題を解決するための手段】
【０００５】
上記の目的を達成するための手段として、請求項１の発明は、バッテリポストを取り囲むように環状に形成された接続部を備え、この接続部が縮径されることで前記バッテリポストを締め付けるようにしたバッテリターミナルであって、前記接続部には、この接続部における他の部分に比べて剛性の低い低剛性部が形成されているところに特徴を有する。
【０００６】
請求項２の発明は、請求項１に記載のものにおいて、前記低剛性部は前記接続部の軸方向における上端部および下端部に形成されているところに特徴を有する。
請求項３の発明は、請求項１または請求項２に記載のものにおいて、前記低剛性部はスリットを切り込むことによって形成されているところに特徴を有する。
【発明の効果】
【０００７】
＜請求項１の発明＞
接続部を縮径させたときに、バッテリポストの形状に倣って低剛性部が変形しやすいから、その分接続部とバッテリポストとの接触面積が増える。したがって、バッテリポストに対する電気的接続の信頼性と保持力とが高められる。
【０００８】
＜請求項２の発明＞
接続部の上端部および下端部がともにバッテリポストの形状にあわせて変形しやすいから、バッテリポストのテーパ角度が接続部のテーパ角度に比べてきつい場合であっても緩い場合であっても、どちらの場合にも適合できる。すなわち、バッテリターミナルは、バッテリポストの形状における広いばらつきに対して対応可能なものとなる。
【０００９】
＜請求項３の発明＞
スリットを切り込むだけで低剛性部を形成できるから、バッテリターミナルの製造作業をそれほど複雑化しなくても済む。
【発明を実施するための最良の形態】
【００１０】
＜実施形態＞
以下、本発明の一実施形態を図１〜図６によって説明する。
本実施形態のバッテリターミナルは、プレスにより所定形状に打ち抜かれた金属板材を曲げ加工してなるものであって、バッテリポストＰに接続される接続部１０と、この接続部１０をバッテリポストＰに対して締め付け固定する締付部１１とを備えている。なお、バッテリポストＰは、上端側に向けて次第に径の小さくなったテーパ状の円柱形に形成されている。
【００１１】
接続部１０は、バッテリポストＰの外周を取り囲むように形成され、バッテリポストＰと同じテーパ角度で上端側に向けて次第に径が小さくなるとともに、その周方向における所定の幅が開放された円環状をなしている。この接続部１０は縮径可能とされており、縮径する前の状態においては、バッテリポストＰに対して遊嵌状態となるようにされている。そして、接続部１０の内周面には、上下方向に延びる凹部１２が設けられている。凹部１２は接続部１０の左側（図２の上側）および右側（同下側）にそれぞれ３条ずつ、周方向に所定の間隔をあけて配されている。この凹部１２は、接続部１０とバッテリポストＰとの回り止めの役目を果たしている。
【００１２】
接続部１０の開放端には締付部１１が設けられている。締付部１１は、接続部１０の開放端から互いに対向するように径方向外周側に延出された一対の平板状をなす延出片１３Ｌ,１３Ｒを備えている。両延出片１３Ｌ,１３Ｒは互いに略平行な状態で、その上端側が図３の右寄り、下端側が同左寄りとなるような傾斜をなして配されている。図３における右側の延出片１３Ｒのほぼ中央位置には、この延出片１３Ｒを貫通するように右ボルト貫通孔１４Ｒが形成され、一方、同左側の延出片１３Ｌにおいて右ボルト貫通孔１４Ｒと同軸線上位置には左ボルト貫通孔１４Ｌが形成されている。なお、延出片１３Ｒの上下部および延出片１３Ｌの上部には、それぞれの端縁を各延出片１３Ｒ,１３Ｌの板面方向に対し略直角方向に曲げ加工することにより形成されたリブ１５が設けられている。
【００１３】
そして、左右ボルト貫通孔１４Ｌ,１４Ｒに通したボルト（図示せず）にナットを締め付けることにより両延出片１３Ｌ,１３Ｒが接近し、接続部１０が次第に縮径してバッテリポストＰに固定されるようになっている。
【００１４】
この締付部１１の左側（図２の上側）には電線接続部１６が連設されている。この電線接続部１６は、延出片１３Ｌの下縁から左方に折り曲げられて形成された基板部１６Ａを備えている。基板部１６Ａは、締付部１１の前端縁位置から接続部１０の後端縁位置にわたる前後方向（図２の左右方向）に長い略長方形の平板状をなしている。そして、基板部１６Ａの後部には、上方へ向けて突出するスタッドボルト１６Ｂが設けられている。このスタッドボルト１６Ｂには、電線の端部に装着された接続金具（図示せず）が嵌め込まれて接続されるようになっている。
【００１５】
接続部１０の後側（締付部１１とは反対側）にはバレル部１７が形成されている。バレル部１７は、接続部１０の上端縁から後方に折り曲げられて延出した形態の天井部１７Ａと、この天井部１７Ａの左右両端縁から下がる一対のカシメ片１７Ｂとにより構成されている。バレル部１７は、電線の芯線に対し両カシメ片１７Ｂをカシメ付けることによって、電線との接続を行うようになっている。
【００１６】
さて、接続部１０の上端部１０Ａおよび下端部１０Ｂは、中間部１０Ｃに比べて剛性の低い低剛性部とされている。この低剛性部は、接続部１０における上端縁および下端縁からそれぞれ中間部１０Ｃに向かってスリット１８Ａ,１８Ｂを切り込むことにより形成されており、スリット１８Ａ,１８Ｂが切り込まれていない中間部１０Ｃに比べて低剛性となっている。スリット１８Ａおよびスリット１８Ｂは、それぞれ上下に対応する位置において接続部１０の軸方向に沿った方向に切り込まれており、その切り込み寸法は接続部１０の上下方向寸法のほぼ３分の１の寸法とされている。この上下一対のスリット１８Ａ,１８Ｂは、接続部１０の左側および右側にそれぞれ３条ずつ配された各凹部１２の間に１箇所ずつ、つまり左側および右側に２箇所ずつ、計４箇所に配されている。
【００１７】
次に、上記のように構成された本実施形態の作用および効果について説明する。
まず、バッテリポストＰに接続部１０を嵌める。このとき、接続部１０は、図４に示すように、バッテリポストＰに対し遊嵌状態となっている。ところで、バッテリポストＰのテーパ形状にはばらつきがあることがあり、この場合には、バッテリポストＰのテーパ角度は、接続部１０のテーパ角度よりもややきつい角度となっている。このため、バッテリポストＰと接続部１０との間の隙間は上側から下側に向かって少しずつ狭くなっている。
【００１８】
そして、徐々に接続部１０を縮径させると、まず接続部１０の下端部１０ＢがバッテリポストＰに接触する。さらに接続部１０を縮径させると、図５に示すように、接続部１０の下端部１０ＢがバッテリポストＰの形状に倣って徐々に密着するように変形した後、中間部１０ＣがバッテリポストＰに密着した状態となる。引き続き接続部１０を縮径させると、上端部１０Ａにおける締付部１１側の部分（図５の左側の部分）がバッテリポストＰとの隙間を埋めるように変形してバッテリポストＰに接触した状態となる。ここで、上端部１０Ａにおける締付部１１から離れている部分（詳しくは、最も締付部１１に近い位置に配されているスリット１８Ａよりも図２における右側の部分）は、この部分に作用する締付力が小さいため、バッテリポストＰとの間にわずかな隙間をあけた状態で残される。
【００１９】
こうして、接続部１０は中間部１０ＣでバッテリポストＰを締め付けるとともに、上端部１０Ａの一部分と下端部１０ＢとがバッテリポストＰに接触した状態となる。これにより、従来のように接続部の上端縁もしくは下端縁のうちいずれか一方の端縁付近のみでバッテリポストＰを締め付ける場合に比べて接触面積が増えるから、その分電気的接続の信頼性が高くなる。
【００２０】
また、メンテナンス等でバッテリターミナルを外して再び接続する際にバッテリポストＰへの食い込みが期待できなくても、バッテリポストＰの形状に倣って上端部１０Ａの一部と下端部１０Ｂとが変形してバッテリポストＰに接触し、その分接続部１０とバッテリポストＰとの接触面積が増えるから、十分な保持力を得ることができる。
【００２１】
また、図６に示すように、バッテリポストＰのテーパ角度が接続部１０のテーパ角度よりもやや緩い角度をなしている場合、接続部１０を徐々に縮径させると、上端部１０ＡがバッテリポストＰの形状に倣って変形した後、中間部１０ＣがバッテリポストＰに密着し、下端部１０Ｂにおける締付部１１側の部分（図６の左側の部分）が変形してバッテリポストＰに接触した状態となる。そして、バッテリポストＰのテーパ角度が接続部１０のテーパ角度よりもきつい角度である場合と同様の効果を得ることができる。このように、バッテリポストＰの形状に対する適応範囲が広いことは、テーパ形状にばらつきのあるバッテリポストＰとの電気的接続の信頼性を高め、また十分な保持力を確保する上で非常に効果的である。
【００２２】
なお、スリット１８Ａ,１８Ｂを切り込むだけで低剛性部を形成できるから、バッテリターミナルの製造作業をそれほど複雑化しなくても済む。
【００２３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２４】
（１）上記実施形態では、接続部１０の上端部１０Ａおよび下端部１０Ｂが低剛性部とされているが、必ずしも上下両端部が低剛性部とされていなくてもよく、例えば上端部のみ、下端部のみ、もしくは中間部のみが低剛性部とされていてもよい。
【００２５】
（２）上記実施形態では、低剛性部は、接続部１０における上端縁および下端縁からそれぞれスリット１８Ａ,１８Ｂを切り込むことにより形成されているが、低剛性部は他の方法で形成されていてもよく、例えば、接続部の径方向の厚みを接続部における他の部分に比べて薄くすることにより形成されていたり、開口部を設ける等により形成されていてもよい。
【００２６】
（３）上記実施形態では、上下一対のスリット１８Ａ,１８Ｂは計４箇所に配されているが、低剛性部が所定の形状を保ちつつ、かつ、バッテリポストの形状にあわせて変形可能な剛性を備えるように形成されるのであればスリットは何箇所に設けられていてもよく、例えば、１箇所のみ、または５箇所以上に配されていてもよい。
【００２７】
（４）上記実施形態では、スリット１８Ａ,１８Ｂの切り込み寸法は接続部１０の上下方向寸法のほぼ３分の１の寸法とされているが、低剛性部が所定の形状を保ちつつ、かつ、バッテリポストの形状にあわせて変形可能な剛性を備えるように形成されるのであればスリットの切り込み寸法はこの寸法でなくてもよく、また、上端部のスリットと下端部のスリットとがほぼ同じ切り込み寸法とされていなくてもよい。したがって、例えば、上端部のスリットは接続部の上下方向寸法のほぼ４分の１の寸法とされ、下端部のスリットは接続部の上下方向寸法のほぼ５分の１の寸法とされていてもよい。
【００２８】
（５）上記実施形態では、スリット１８Ａおよびスリット１８Ｂは、それぞれ上下に対応する位置に形成されているが、必ずしも上下のスリット位置が対応していなくてもよく、例えば上下のスリットが接続部の周方向に交互となる位置に形成されていてもよい。
【００２９】
（６）上記実施形態では、スリット１８Ａおよびスリット１８Ｂは接続部１０の軸方向に沿った方向に切り込まれているが、これに限らず、例えば、スリットは接続部の軸方向に対し交差方向に切り込まれていてもよい。
【００３０】
（７）上記実施形態におけるバッテリターミナルは、いわゆる横締め方式のものであるが、本発明によれば、バッテリターミナルは必ずしも横締め方式のものでなくてもよく、上方の広いスペースを利用して締め付け作業が行えるようにした、いわゆる縦締め方式のものであってもよい。
【図面の簡単な説明】
【００３１】
【図１】本発明の一実施形態に係るバッテリターミナルの側面図
【図２】同平面図
【図３】同正面図
【図４】バッテリポストに接続部が嵌められた状態を示す図２のＡ−Ａ位置における断面図
【図５】バッテリポストに接続部が締め付けられている様子を示す図２のＡ−Ａ位置における断面図
【図６】テーパ角度が緩いバッテリポストに接続部が締め付けられている様子を示す図２のＡ−Ａ位置における断面図
【符号の説明】
【００３２】
Ｐ…バッテリポスト
１０…接続部
１０Ａ…上端部（低剛性部）
１０Ｂ…下端部（低剛性部）
１８Ａ,１８Ｂ…スリット
【図１】
2007141727.tif 000003
【図２】
2007141727.tif 000004
【図３】
2007141727.tif 000005
【図４】
2007141727.tif 000006
【図５】
2007141727.tif 000007
【図６】
2007141727.tif 000008